(57)【要約】【課題】効率よく洗浄できる洗浄装置を提供する。【解決手段】洗浄装置10は、洗浄槽20、回収槽21、高圧温水供給手段22および補給槽23を備える。洗浄槽20は、航空標識灯11に高圧温水を吹き付ける高圧温水吹付け手段28を有する。回収槽21は、洗浄槽20から温水を回収して貯留するとともに、所定温度の温水に沸き上げるヒータ42を有する。高圧温水供給手段22は、回収槽21の温水を取り出して加圧した高圧温水を洗浄槽20に供給する。補給槽23は、外部から供給される水を貯留するとともに、所定温度の温水に沸き上げるヒータ64を有し、温水を回収槽21に補給する。【選択図】図１
2014083534.tif 000002
【特許請求の範囲】
【請求項１】
被洗浄物に高圧温水を吹き付ける高圧温水吹付け手段を有する洗浄槽と；
洗浄槽から温水を回収して貯留するとともに、所定温度の温水に沸き上げる第１の沸上手段を有する回収槽と；
回収槽の温水を取り出して加圧した高圧温水を洗浄槽に供給する高圧温水供給手段と；
外部から供給される水を貯留するとともに、所定温度の温水に沸き上げる第２の沸上手段を有し、温水を回収槽に補給する補給槽と；
を具備していることを特徴とする洗浄装置。
【請求項２】
洗浄槽で被洗浄物に高圧温水を吹き付けた後に水を吹き付ける水吹付け手段と、
水吹付け手段に水を供給する水供給手段と；
水供給手段からの水の供給時に、洗浄槽から回収される水を排水する排水手段と；
を具備していることを特徴とする請求項１記載の洗浄装置。
【請求項３】
外部から供給される水を貯留する水槽と；
回収槽と高圧温水供給手段とを接続する取出配管と；
取出配管の途中に着脱可能に接続され、高圧温水供給手段によって回収槽から取り出される温水を濾過するフィルタと；
フィルタと水槽とを接続し、水槽の水をフィルタに循環させるフィルタ冷却手段と；
を具備していることを特徴とする請求項１または２記載の洗浄装置。
【発明の詳細な説明】
【技術分野】
【０００１】
本発明の実施形態は、被洗浄物を洗浄する洗浄装置に関する。
【背景技術】
【０００２】
従来、例えば、空港の滑走路に設置されている航空標識灯を洗浄する洗浄装置がある。航空標識灯を洗浄する場合には、滑走路に洗浄装置を移動させて滑走路に設置されている状態で航空標識灯を洗浄する場合と、滑走路から航空標識灯を取り外して所定の場所に設置されている洗浄装置で洗浄する場合とがある。いずれの場合にも、水を加圧した高圧水を航空標識灯に吹き付けて洗浄し、航空標識灯に吹き付けた水は排水されている。
【０００３】
また、トンネル内に設置される照明器具に温水を吹き付けて洗浄することも行われている。この場合にも、被洗浄物に吹き付けた温水は排水されている。
【先行技術文献】
【特許文献】
【０００４】
【特許文献１】特開平６−２７２２２０号公報
【特許文献２】特許第３９３９７２２号公報
【発明の概要】
【発明が解決しようとする課題】
【０００５】
洗浄に温水を用いることにより、洗浄効果が高まり、あまり圧力を高くしなくても十分な洗浄効果が得られる。
【０００６】
しかしながら、水と同様に、洗浄に使用した温水を排水したのでは、エネルギーの無駄が多く発生することになり、また、洗浄処理量が多いと、温水が不足し、温水が沸き上がるのを待たなければならなくなる事態も考えられ、効率よく洗浄できない問題がある。
【０００７】
本発明が解決しようとする課題は、効率よく洗浄できる洗浄装置を提供することである。
【課題を解決するための手段】
【０００８】
実施形態の洗浄装置は、洗浄槽、回収槽、高圧温水供給手段および補給槽を備える。洗浄槽は、被洗浄物に高圧温水を吹き付ける高圧温水吹付け手段を有する。回収槽は、洗浄槽から温水を回収して貯留するとともに、所定温度の温水に沸き上げる第１の沸上手段を有する。高圧温水供給手段は、回収槽の温水を取り出して加圧した高圧温水を洗浄槽に供給する。補給槽は、外部から供給される水を貯留するとともに、所定温度の温水に沸き上げる第２の沸上手段を有し、温水を回収槽に補給する。
【発明の効果】
【０００９】
本発明によれば、洗浄槽で被洗浄物に高圧温水を吹き付けて洗浄し、洗浄槽から温水を回収槽に回収し、高圧温水供給手段で回収槽の温水を取り出して加圧した高圧温水を洗浄槽に供給することにより、洗浄に使用した温水を排水せずに循環使用するため、エネルギー効率に優れ、さらに、補給槽に新しい温水を用意しておくことにより、洗浄処理に伴って循環使用する温水が減少しても、回収槽に新しい温水を補給することができるとともに、単に水を補給した場合のような回収槽での温水の温度低下を防止でき、したがって、効率よく洗浄することが期待できる。
【図面の簡単な説明】
【００１０】
【図１】一実施形態を示す洗浄装置のブロック図である。
【図２】同上洗浄装置の斜視図である。
【発明を実施するための形態】
【００１１】
以下、一実施形態を、図１および図２を参照して説明する。
【００１２】
図２に示すように、洗浄装置10は、被洗浄物としての航空標識灯11を洗浄する。航空標識灯11は、空港の滑走路に埋め込み設置される基台と、この基台上に着脱可能に取り付けられる灯体11aとを有している。この航空標識灯11の灯体11aを基台から外し、所定の場所に設置されている洗浄装置10の場所に運搬し、洗浄装置10によって灯体11aを洗浄する。
【００１３】
洗浄装置10は、機体12を有し、この機体12の前部に灯体着脱部13が設けられ、この灯体着脱部13の後方にシャッタ14によって開閉される開口部15が形成されている。開口部15を通じて灯体着脱部13と機体12内とのに間で洗浄台16が移動するように構成され、灯体着脱部13に移動した洗浄台16に対して灯体11aを着脱可能としている。機体12の前面には、洗浄スタートを含む操作部17が配設されている。
【００１４】
図１に示すように、洗浄装置10は、灯体11aに高圧温水を吹き付けて洗浄する洗浄槽20、洗浄槽20で洗浄に使用した温水を回収する回収槽21、回収槽21に回収された温水を加圧した高圧温水を洗浄槽20に供給する高圧温水供給手段22、回収槽21に温水を補給する補給槽23、冷却用の水槽24、およびエアー供給手段25を有している。
【００１５】
そして、洗浄槽20には、灯体着脱部13の位置と洗浄槽20内の所定の洗浄位置との間で洗浄台16を移動させる移動機構27が配置されている。洗浄台16は、装着された灯体11aを回転駆動するように構成されている。
【００１６】
洗浄槽20内には、灯体11aに洗浄用の高圧温水を吹き付ける複数の高圧温水吹付け手段28、灯体11aに洗浄用および冷却用の水を吹き付ける１つまたは複数の水吹付け手段29、および灯体11aに乾燥用のエアーを吹き付けるエアー吹付け手段30が配置されている。これら吹付け手段28，29，30は、例えばノズルによって構成されており、洗浄位置で洗浄台16によって回転する灯体11aの全体に対して高圧温水、水、エアーがそれぞれ効率よく拭き付けられるように配置されている。
【００１７】
洗浄槽20の底部には、灯体11aに吹き付けた温水や水を貯留する貯留部31が形成され、この貯留部31の底部に温水や水を回収槽21に排水（回収）する複数本の回収配管32が接続されている。貯留部31には、排水する温水や水から異物などを捕獲して取り除くフィルタ33が配置されている。貯留部31の上部側には、貯留する温水や水が所定量以上に達した場合に、オーバーフローする温水や水を水槽24に排水するオーバーフロー配管34が接続されている。なお、複数本の回収配管32を用いるのは、洗浄槽20の温水が流出する際の流量を確保するとともに、洗浄槽20の高さ寸法を小さくすることによる。１本の配管で所望の流出量を確保しようとすると、配管の直径が大きくなり、この配管を洗浄槽20の側面に接続した場合には高さ寸法を必要とするが、複数本とすることにより、例えば横に並べて配置することが可能となり、洗浄槽20の高さ寸法が大きくなるのを抑えることができる。
【００１８】
洗浄槽20の上部には、高圧温水の吹き付けによって発生する蒸気を排気する排気ファン35が設置されている。排気ファン35には、蒸気を排水管36に排気する排気ダクト37が接続されている。
【００１９】
また、回収槽21は、洗浄槽20から回収される温水および補給槽23から補給される温水を貯留する。回収槽21の上部には、洗浄槽20から回収配管32によって回収される温水を受け入れる受部40が配設され、この受部40に温水を濾過するフィルタ41が配置され、このフィルタ41で濾過された温水が回収槽21内に流入する。
【００２０】
回収槽21には、温水を所定の温度に沸き上げる第１の沸上手段としてのヒータ42が配置されている。沸き上げる温水の温度は、例えば６０℃以上であって、好ましくは７０〜７５℃とされている。
【００２１】
回収槽21には、回収槽21に貯留されている温水の水位を検知する水位検知手段43が配設されている。
【００２２】
回収槽21の底部側には、取出配管44および排水管36が接続されている。取出配管44および排水管36には、それぞれ管内の流路を開閉する電動弁45，46が配設されている。回収槽21内には、取出配管44に対してストレーナ47が配置されている。
【００２３】
回収槽21の上部側には、貯留する温水が所定量以上に達した場合に、オーバーフローする温水を水槽24に排水するオーバーフロー配管48が接続されている。
【００２４】
また、高圧温水供給手段22は、温水を加圧して送る高圧ポンプ51を有している。高圧ポンプ51の吸込み側と回収槽21との間に取出配管44が接続され、高圧ポンプ51の吐出側と洗浄槽20の高圧温水吹付け手段28との間に高圧温水供給配管52が接続されている。取出配管44には、管内の流路を開閉する電動弁45、回収槽21の温水を高圧ポンプ51へ送る送水ポンプ53、および高圧ポンプ51へ送る温水を濾過するフィルタ54が配設されている。高圧温水供給配管52には流路を開閉する電動弁55が配設されている。
【００２５】
そして、回収槽21、取出配管44、高圧温水供給手段22、高圧温水供給配管52、洗浄槽20、および回収配管32などによって、回収槽21の温水を循環使用する循環路56が構成されている。また、回収配管32には電動三方弁57を介して水槽24につながる排水用配管58が接続されており、これら電動三方弁57、排水用配管58および水槽24などによって、洗浄槽20の温水や水を回収槽21に回収するのではなく排水管36に排水する排水手段59が構成されている。
【００２６】
また、補給槽23は、水供給手段61から水を供給されて貯留する。水供給手段61は、例えば水道水などの水を補給槽23に供給する給水管62、および給水管62内の流路を開閉する電動弁63を有している。
【００２７】
補給槽23には、水を所定の温度に沸き上げる第２の沸上手段としてのヒータ64が配置されている。温水の温度は、例えば６０℃以上であって、好ましくは７０〜７５℃としている。
【００２８】
補給槽23には、補給槽23に貯留されている温水の水位を検知する水位検知手段65が配設されている。
【００２９】
補給槽23には回収槽21に温水を補給する補給配管66が接続され、補給配管66には流路を開閉する電動弁67が配設されている。
【００３０】
補給槽23の上部側には、貯留する温水が所定量以上に達した場合に、オーバーフローする温水を排水管36に排水するオーバーフロー配管68が接続されている。
【００３１】
また、水槽24は、水供給手段61から供給される水を貯留する。水供給手段61は、例えば水道水などの水を水槽24に供給する給水管70、および給水管70内の流路を開閉する電動弁71を有している。
【００３２】
水槽24の上部には、洗浄槽20から回収配管32、電動三方弁57および排水用配管58によって排水される温水や水を受け入れる受部72が配設され、この受部72に温水や水を濾過するフィルタ73が配設され、このフィルタ73で濾過された温水や水が水槽24内に流入する。
【００３３】
水槽24には、水槽24に貯留されている温水の水位を検知する水位検知手段24aが配設されている。
【００３４】
水槽24には、排水管36が接続され、この排水管36の接続部分に管内を開閉する電動弁74が配設されている。
【００３５】
水槽24には、貯留する温水や水が所定量以上に達した場合に、オーバーフローする温水や水を排水管36に排水するオーバーフロー配管75が接続されている。
【００３６】
水槽24と取出配管44の温水流れ方向におけるフィルタ54より上流側であって送水ポンプ53の吸込み側位置である取出配管44との間に冷却水循環配管76が接続され、この冷却水循環配管76内の流路を開閉する電動弁77が配設されている。取出配管44には温水流れ方向におけるフィルタ54の下流側であって高圧ポンプ51とフィルタ54との間に三方電動弁78が配設され、この三方電動弁78と水槽24とが冷却水循環配管79で接続されている。そして、送水ポンプ53により水槽24の水をフィルタ54を通じて水槽24に循環させてフィルタ54を冷却するフィルタ冷却手段80が構成されている。
【００３７】
また、水供給手段61は、例えば水道水などの水を洗浄槽20の水吹付け手段29に供給する給水管82、および給水管82内の流路を開閉する電動弁83を有している。
【００３８】
また、エアー供給手段25は、図示しないエアー供給源に接続されたエアー供給管85、およびこのエアー供給管85内の流路を開閉する電動弁86を有している。エアー供給管85は洗浄槽20のエアー吹付け手段30に接続されている。
【００３９】
また、回収槽21には、回収槽21の温水を浄化する浄化手段88が配設されている。この浄化手段88は、回収槽21に接続された浄化用循環路89、この浄化用循環路89に回収槽21内の温水を循環させる循環ポンプ90、および浄化用循環路89内を流通する温水を濾過するフィルタ91を備えている。
【００４０】
また、回収槽21には、回収槽21内の温水の温度を低下させる放熱手段93が配設されている。この放熱手段93は、回収槽21に接続された放熱用循環路94、この放熱用循環路94に回収槽21内の温水を循環させる循環ポンプ95、および放熱用循環路94内を流通する温水の熱を放熱させる放熱部96を備えている。放熱部96は、例えば配管に複数の放熱フィンを設けて構成される。
【００４１】
また、洗浄装置10は、この洗浄装置10を制御する制御部99を備えている。
【００４２】
次に、洗浄装置10の動作を説明する。
【００４３】
洗浄装置10による洗浄動作は、回収槽21および補給槽23に所定の温度および所定量の温水が貯留されている状態で行われる。
【００４４】
灯体着脱部13に移動している洗浄台16に灯体11aを装着し、機体12の前面の操作部17で洗浄スタートを操作することにより、洗浄台16および灯体11aが開口部15から機体12内に移動し、シッャタ14が閉じ、機体12内で灯体11aを洗浄する洗浄工程を開始する。
【００４５】
洗浄工程には、プレヒート処理、高圧温水洗浄処理、冷却処理、乾燥処理を順に行う。
【００４６】
プレヒート処理では、灯体11aが洗浄槽20内の所定の洗浄位置に移動するまでの間に、灯体11aの温度を上昇させて洗浄効果を高めるようにする。洗浄位置に移動する灯体11aを回転させながら、灯体11aの上面中央を含む全体に高圧温水吹付け手段28によって高圧温水を吹き付ける。なお、プレヒート処理時の高圧温水の圧力は、高圧温水洗浄処理時よりも低圧としてもよい。
【００４７】
プレヒート処理が完了したら、連続して、次の高圧温水洗浄処理に移る。高圧温水洗浄処理では、洗浄位置に移動した灯体11aを回転させながら、灯体11aの全体に高圧温水吹付け手段28によって高圧温水を吹き付ける。高圧温水洗浄処理においては、例えば、高圧温水の温度は７０〜７５℃、圧力は２０ＭＰａ、流量は毎分９リットルである。
【００４８】
そして、プレヒート処理および高圧温水洗浄処理においては、取出配管44の電動弁45を開き、送水ポンプ53および高圧ポンプ51を駆動し、高圧温水供給配管52の電動弁55を開く。これにより、送水ポンプ53で回収槽21から取り出した温水をフィルタ54および高圧ポンプ51に送り、高圧ポンプ51で温水を加圧し、加圧した高圧温水を高圧温水吹付け手段28に供給し、高圧温水を灯体11aに吹き付ける。
【００４９】
洗浄槽20で灯体11aに吹き付けられた温水は、洗浄槽20の底部に流れ落ち、フィルタ33で濾過され、回収配管32を通じて回収槽21の受部40に流れ、この受部40のフィルタ41で濾過されて回収槽21に戻る。
【００５０】
回収槽21に戻る温水は、配管や灯体11aなどとの接触で温度低下するものの、回収槽21内の温水の温度より多少低下した程度の温度であるため、洗浄に使用された温水が回収槽21に戻っても回収層21内の温水の温度低下への影響は少なく、また、ヒータ42によって温度低下を迅速に補うことができる。そのため、回収槽21からは、一定の温度の温水を洗浄用に供給することができ、安定した洗浄効果を維持できる。
【００５１】
また、高圧温水洗浄処理が完了すれば、高圧温水の供給を停止し、次の冷却処理に移る。冷却処理では、灯体11aを回転させながら、水吹付け手段29から灯体11aに水を吹き付け、灯体11aを冷却することにより、灯体11aを洗浄装置10から取り出す際に灯体11aを直ぐに取り出せるようする。冷却処理では、水供給手段61の電動弁83を開くことにより、水を水吹付け手段29に供給する。
【００５２】
この冷却処理では、電動三方弁57を洗浄槽20に対して回収槽21側から排水用配管58側の流路に切り換える。そのため、灯体11aに吹き付けられた水が水槽24の受部72に流れ、フィルタ73で濾過されて水槽24に流入し、水槽24の水位に応じて電動弁74を開くことにより、水槽24内の水を排水管36に排水する。
【００５３】
例えば処理時間を短縮するために、高圧温水洗浄処理が完了直後に冷却処理を行う場合、洗浄槽20および回収配管32に残留している温水が排水経路に流れる。そのまま、温度の高いまま温水を排水管36に流すと、排水管36などに悪い影響が生じるおそれがある。そこで、洗浄槽20および回収配管32に残留していた温水を水槽24に受け入れて水槽24内の水と混合させることで、排水管36などに影響のない温度まで低下させた後、排水管36に排水することにより、排水管36を保護できる。
【００５４】
また、冷却処理が完了すれば、水の供給を停止し、次の乾燥処理に移る。乾燥処理では、エアー供給手段25の電動弁86を開くことにより、エアー吹付け手段30から回転している灯体11aに吹き付けて乾燥させる。
【００５５】
なお、乾燥処理に入った後、あるいは乾燥処理後に、電動三方弁57を洗浄槽20に対して排水用配管58側から回収槽21からの流路に切り換える。
【００５６】
また、乾燥処理が完了し、洗浄工程が完了すれば、シャッタ14を開き、洗浄後の灯体11aを灯体着脱部13に移動させる。灯体着脱部13に移動した灯体11aを洗浄台16から外し、次に洗浄する灯体11aを洗浄台16に装着し、操作部17で洗浄スタートを操作することにより、上述した洗浄工程を開始する。
【００５７】
また、洗浄工程を繰り返していくと、冷却処理で温水の一部が排水されることから、循環使用する温水の量が低下し、回収槽21における温水の水位が低下する。水位検知手段43で回収槽21の水位が所定量以下に低下したことを検知したら、制御部99の制御により、補給槽23に接続されている補給配管66の電動弁67を開き、補給槽23の温水を回収槽21に補給する。
【００５８】
補給槽23から補給する温水の温度は、回収槽21に貯留される温水の温度と同程度であるため、温水の補給によって回収槽21の温水の温度が低下することはなく、一定の温度に保つことができる。そのため、回収槽21に温水を補給しても、一定の温度の温水を洗浄用に供給することができ、安定した洗浄効果を維持できる。
【００５９】
補給によって補給槽23の水位が低下したら、電動弁63を開いて補給槽23に水を給水し、給水によって補給槽23の温水の温度が低下したらヒータ64で所定の温度に沸き上げる。
【００６０】
また、洗浄工程を繰り返すことで、フィルタ54の目詰まりなどで能力不足が生じた場合には、高圧温水の供給を停止し、取出配管44に対してフィルタ54を交換することになる。この場合、フィルタ54は、温水が流れているために温度が高く、取り扱い可能な温度に低下するまで交換することができない。自然放熱では、温度が低下するまで長時間待たなければならないことになる。そこで、フィルタ冷却手段80によってフィルタ54を強制的に冷却して温度を低下させる。
【００６１】
フィルタ冷却手段80では、冷却水循環配管76の電動弁77を開き、電動三方弁78をフィルタ54に対して高圧ポンプ51側から冷却水循環配管79側の流路に切り換え、送水ポンプ53を駆動する。これにより、水槽24に貯留されている水がフィルタ54に流れてフィルタ54を冷却し、冷却水循環配管79を通じて水槽24に戻る。フィルタ54の温度が早期に低下し、待ち時間が短く、フィルタ54を交換することができる。
【００６２】
また、回収槽21の浄化手段88を作動させることにより、回収槽21の温水に含まれる温水に含まれる異物や汚れなどを取り除いて浄化し、この温水に含まれる異物や汚れなどが高圧ポンプ51や送水ポンプ53などに影響するのを低減できる。
【００６３】
また、洗浄完了後、洗浄装置10を停止させる場合、回収槽21内の温水を排水する。このとき、回収槽21の温水を温度の高いまま排水管36に流すと、排水管36などに悪い影響が生じるおそれがある。また、回収槽21の温水が排水しても影響のない温度に低下するには長時間待たなければならない。そこで、放熱手段93により、回収槽21の温水を強制的に放熱させて排水しても影響のない温度に低下させる。
【００６４】
放熱手段93では、循環ポンプ95によって回収槽21の温水を放熱部96に循環させ、この放熱部96で効率よく放熱させる。そして、回収槽21の温水を排水しても影響のない温度まで低下させた後に、電動弁46を開いて回収槽21の温水を排水管36に排水する。
【００６５】
このように、洗浄装置10は、洗浄槽20で灯体11aに高圧温水を吹き付けて洗浄し、洗浄槽20から温水を回収槽21に回収し、高圧温水供給手段22で回収槽21の温水を取り出して加圧した高圧温水を洗浄槽20に供給することにより、洗浄に使用した温水を排水せずに循環使用するため、エネルギー効率に優れ、さらに、補給槽23に新しい温水を用意しておくことにより、洗浄処理に伴って循環使用する温水が減少しても、回収槽21に新しい温水を補給することができるとともに、単に水を補給した場合のような回収槽21での温水の温度低下を防止でき、したがって、効率よく洗浄することができる。
【００６６】
また、灯体11aに高圧温水を吹き付けた後に水を吹き付けて冷却することにより、洗浄の完了した灯体11aを直ぐに手で取り扱うことができ、灯体11aの温度が自然に低下するのを待つ必要がなく、処理効率をよくできる。
【００６７】
また、洗浄中にフィルタ54を交換する事態となっても、フィルタ冷却手段80によってフィルタ54を冷却できるため、フィルタ54の温度が自然に低下するのを待つことなく、フィルタ54を交換することができ、処理効率よくできる。
【００６８】
なお、被洗浄物としては、航空標識灯11の灯体11aに限らず、他の洗浄対象物でもよい。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
10    洗浄装置
11    被洗浄物としての航空標識灯
20    洗浄槽
21    回収槽
22    高圧温水供給手段
23    補給槽
24    水槽
28    高圧温水吹付け手段
29    水吹付け手段
42    第１の沸上手段としてのヒータ
44    取出配管
54    フィルタ
59    排水手段
61    水供給手段
64    第２の沸上手段としてのヒータ
80    フィルタ冷却手段
【図１】
2014083534.tif 000003
【図２】
2014083534.tif 000004